(57)【要約】【課題】消費電力をより低減することができる。【解決手段】無線通信部１３は、第１の待機状態と、消費電力が高い第１の起動状態とのいずれかの状態で動作し、第１の起動状態で動作しているときに自端末とは異なる外部の端末にデータを無線送信し、かつ、データの送信終了後に第１の待機状態で動作する。起動信号受信回路１２５は、第２の待機状態と、消費電力が高い第２の起動状態とのいずれかの状態で動作し、第２の起動状態での動作と第２の待機状態での動作とを所定の時間間隔で繰り返すとともに、第２の起動状態で動作しているときに外部の端末から起動信号を受信した場合、通信モジュールの動作を第１の待機状態から第１の起動状態に移行させる移行信号を出力する。周期決定部１２２は、自端末の推定位置または外部の端末の推定位置が所定の範囲内に含まれているか否かを示す位置情報に基づいて所定の時間間隔を変更する。【選択図】図２
2013225764.tif 000002
【特許請求の範囲】
【請求項１】
第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信モジュールと、
第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成部と、
自端末の推定位置または前記外部の端末の推定位置が所定の範囲内に含まれているか否かを示す位置情報に基づいて前記所定の時間間隔を変更する周期決定部と、
を備えることを特徴とする無線通信装置。
【請求項２】
前記位置情報を取得する取得部を更に備え、
前記周期決定部は、前記取得部が取得した前記位置情報に基づいて前記所定の時間間隔を変更する
ことを特徴とする請求項１に記載の無線通信装置。
【請求項３】
前記取得部は、前記外部の端末から前記位置情報を取得する
ことを特徴とする請求項２に記載の無線通信装置。
【請求項４】
前記取得部は、グローバル・ポジショニング・システムにより前記位置情報を取得する
ことを特徴とする請求項２に記載の無線通信装置。
【請求項５】
前記取得部は、前記第１の起動状態で動作する前記通信モジュールよりも低消費電力で動作し、所定の装置の存在を検知し、当該検知結果に基づいて前記位置情報を取得する
ことを特徴とする請求項２に記載の無線通信装置。
【請求項６】
前記位置情報に対応する時間情報を動作周期テーブルとして記憶する周期記憶部
を備え、
前記周期決定部は、前記周期記憶部が記憶する前記動作周期テーブルと現時刻とに基づいて前記位置情報を決定する
ことを特徴とする請求項１に記載の無線通信装置。
【請求項７】
第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、
第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、
自端末の推定位置または前記外部の端末の推定位置が所定の範囲内に含まれているか否かを示す位置情報に基づいて前記所定の時間間隔を変更する周期決定部と、
前記第１の通信モジュールが送信する前記データを受信する第２の通信モジュールと、
前記第１の起動信号生成部に対して前記起動信号を送信する第２の起動信号生成部と、
を備えることを特徴とする無線通信システム。
【請求項８】
第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、
第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、
自端末の推定位置または前記外部の端末の推定位置が所定の範囲内に含まれているか否かを示す位置情報に基づいて前記所定の時間間隔を変更する周期決定部と、
前記第１の通信モジュールが送信する前記データを受信する第２の通信モジュールと、
前記第１の起動信号生成部に対して前記起動信号を送信する第２の起動信号生成部と、
を備えることを特徴とする無線通信システムに含まれる無線通信装置であって、
前記無線通信装置は、第２の通信モジュールと、前記第２の起動信号生成部とを備える
ことを特徴とする無線通信装置。
【請求項９】
前記無線通信装置は更に前記周期決定部を備える
ことを特徴とする請求項８に記載の無線通信装置。
【請求項１０】
第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、
第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、
自端末の推定位置または前記外部の端末の推定位置が所定の範囲内に含まれているか否かを示す位置情報に基づいて前記所定の時間間隔を変更する周期決定部と、
前記第１の通信モジュールが送信する前記データを受信する第２の通信モジュールと、
前記第１の起動信号生成部に対して前記起動信号を送信する第２の起動信号生成部と、
を備えることを特徴とする無線通信システムに含まれる無線通信装置であって、
前記無線通信装置は、前記第１の通信モジュールと、前記第１の起動信号生成部と、前記周期決定部とを備える
ことを特徴とする無線通信装置。
【請求項１１】
通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信ステップと、
起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成ステップと、
周期決定部が、自端末の推定位置または前記外部の端末の推定位置が所定の範囲内に含まれているか否かを示す位置情報に基づいて前記所定の時間間隔を変更する周期決定ステップと、
を含むことを特徴とする無線通信方法。
【請求項１２】
第１の通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信ステップと、
第１の起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成ステップと、
周期決定部が、自端末の推定位置または前記外部の端末の推定位置が所定の範囲内に含まれているか否かを示す位置情報に基づいて前記所定の時間間隔を変更する周期決定ステップと、
第２の通信モジュールが、前記第１の通信モジュールが送信する前記データを受信する第２の通信ステップと、
第２の起動信号生成部が、前記第１の起動信号生成部に対して前記起動信号を送信する第２の起動信号生成ステップと、
を含むことを特徴とする無線通信方法。
【請求項１３】
通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信ステップと、
起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成ステップと、
周期決定部が、自端末の推定位置または前記外部の端末の推定位置が所定の範囲内に含まれているか否かを示す位置情報に基づいて前記所定の時間間隔を変更する周期決定ステップと、
をコンピュータに実行させるためのプログラム。
【請求項１４】
第１の通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信ステップと、
第１の起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成ステップと、
周期決定部が、自端末の推定位置または前記外部の端末の推定位置が所定の範囲内に含まれているか否かを示す位置情報に基づいて前記所定の時間間隔を変更する周期決定ステップと、
第２の通信モジュールが、前記第１の通信モジュールが送信する前記データを受信する第２の通信ステップと、
第２の起動信号生成部が、前記第１の起動信号生成部に対して前記起動信号を送信する第２の起動信号生成ステップと、
をコンピュータに実行させるためのプログラム。
【発明の詳細な説明】
【技術分野】
【０００１】
本発明は、無線通信装置、無線通信システム、無線通信方法およびプログラムに関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、端末を自由に持ち歩くことができるようにすることが望ましい。このようなニーズは、医療分野、特に植込み型医療機器ではより大きい。
【０００３】
しかし、このような無線通信システムでは、無線を用いてデータを転送するため、種々な干渉により通信エラーが発生することがあり、これを解決したいとの要望がある。このような要望に対して、所定の時間周期でデータ通信を行う無線通信装置において、電池残量に基づいて送信周期を変更する無線通信装置が知られている（例えば、特許文献１参照）。
【先行技術文献】
【特許文献】
【０００４】
【特許文献１】特許第４３４３１６０号公報
【発明の概要】
【発明が解決しようとする課題】
【０００５】
しかしながら、特許文献１に記載の技術は、電池残量が所定の閾値以下であることを検出した場合に、無線通信装置の駆動時間を長くするために送信周期を短くするという特徴を有する。そのため、特許文献１に記載の技術では電池残量が所定の閾値より大きい場合には送信周期を短くすることがないため、電池残量が多い場合には消費電力が高い状態であるという問題がある。
【０００６】
本発明は、上記の問題を解決するためになされたものであり、消費電力をより低減することができる無線通信装置、無線通信システム、無線通信方法およびプログラムを提供することを目的とする。
【課題を解決するための手段】
【０００７】
本発明は、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信モジュールと、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成部と、自端末の推定位置または前記外部の端末の推定位置が所定の範囲内に含まれているか否かを示す位置情報に基づいて前記所定の時間間隔を変更する周期決定部と、を備えることを特徴とする無線通信装置である。
【０００８】
また、本発明は、前記位置情報を取得する取得部を更に備え、前記周期決定部は、前記取得部が取得した前記位置情報に基づいて前記所定の時間間隔を変更することを特徴とすることを特徴とする無線通信装置である。
【０００９】
また、本発明の無線通信装置において、前記取得部は、前記外部の端末から前記位置情報を取得することを特徴とする。
【００１０】
また、本発明の無線通信装置において、前記取得部は、グローバル・ポジショニング・システムにより前記位置情報を取得することを特徴とする。
【００１１】
また、本発明の無線通信装置において、前記取得部は、前記第１の起動状態で動作する前記通信モジュールよりも低消費電力で動作し、所定の装置の存在を検知し、当該検知結果に基づいて前記位置情報を取得することを特徴とする。
【００１２】
また、本発明は、前記位置情報に対応する時間情報を動作周期テーブルとして記憶する周期記憶部を備え、前記周期決定部は、前記周期記憶部が記憶する前記動作周期テーブルと現時刻とに基づいて前記位置情報を決定することを特徴とする無線通信装置である。
【００１３】
また、本発明は、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、自端末の推定位置または前記外部の端末の推定位置が所定の範囲内に含まれているか否かを示す位置情報に基づいて前記所定の時間間隔を変更する周期決定部と、前記第１の通信モジュールが送信する前記データを受信する第２の通信モジュールと、前記第１の起動信号生成部に対して前記起動信号を送信する第２の起動信号生成部と、を備えることを特徴とする無線通信システムである。
【００１４】
また、本発明は、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、自端末の推定位置または前記外部の端末の推定位置が所定の範囲内に含まれているか否かを示す位置情報に基づいて前記所定の時間間隔を変更する周期決定部と、前記第１の通信モジュールが送信する前記データを受信する第２の通信モジュールと、前記第１の起動信号生成部に対して前記起動信号を送信する第２の起動信号生成部と、を備えることを特徴とする無線通信システムに含まれる無線通信装置であって、前記無線通信装置は、第２の通信モジュールと、前記第２の起動信号生成部とを備えることを特徴とする無線通信装置である。
【００１５】
また、本発明の無線通信装置は更に前記周期決定部を備えることを特徴とする。
【００１６】
また、本発明は、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信モジュールと、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成部と、自端末の推定位置または前記外部の端末の推定位置が所定の範囲内に含まれているか否かを示す位置情報に基づいて前記所定の時間間隔を変更する周期決定部と、前記第１の通信モジュールが送信する前記データを受信する第２の通信モジュールと、前記第１の起動信号生成部に対して前記起動信号を送信する第２の起動信号生成部と、を備えることを特徴とする無線通信システムに含まれる無線通信装置であって、前記無線通信装置は、前記第１の通信モジュールと、前記第１の起動信号生成部と、前記周期決定部とを備えることを特徴とする無線通信装置である。
【００１７】
また、本発明は、通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信ステップと、起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成ステップと、周期決定部が、自端末の推定位置または前記外部の端末の推定位置が所定の範囲内に含まれているか否かを示す位置情報に基づいて前記所定の時間間隔を変更する周期決定ステップと、を含むことを特徴とする無線通信方法である。
【００１８】
また、本発明は、第１の通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信ステップと、第１の起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成ステップと、周期決定部が、自端末の推定位置または前記外部の端末の推定位置が所定の範囲内に含まれているか否かを示す位置情報に基づいて前記所定の時間間隔を変更する周期決定ステップと、第２の通信モジュールが、前記第１の通信モジュールが送信する前記データを受信する第２の通信ステップと、第２の起動信号生成部が、前記第１の起動信号生成部に対して前記起動信号を送信する第２の起動信号生成ステップと、を含むことを特徴とする無線通信方法である。
【００１９】
また、本発明は、通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する通信ステップと、起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記通信モジュールの動作を前記第１の待機状態から前記第１の起動状態に移行させる移行信号を出力する起動信号生成ステップと、周期決定部が、自端末の推定位置または前記外部の端末の推定位置が所定の範囲内に含まれているか否かを示す位置情報に基づいて前記所定の時間間隔を変更する周期決定ステップと、をコンピュータに実行させるためのプログラムである。
【００２０】
また、本発明の無線通信装置において、第１の通信モジュールが、第１の待機状態と、前記第１の待機状態よりも消費電力が高い第１の起動状態とのいずれかの状態で動作し、前記第１の起動状態で動作しているときに自端末とは異なる外部の端末にデータを無線送信し、かつ、前記データの送信終了後に前記第１の待機状態で動作する第１の通信ステップと、第１の起動信号生成部が、第２の待機状態と、前記第２の待機状態よりも消費電力が高い第２の起動状態とのいずれかの状態で動作し、前記第２の起動状態での動作と前記第２の待機状態での動作とを所定の時間間隔で繰り返すとともに、前記第２の起動状態で動作しているときに前記外部の端末から起動信号を受信した場合、前記第１の通信モジュールの動作を前記第１の待機状態から前記第１の起動状態に移行させる移行信号を出力する第１の起動信号生成ステップと、周期決定部が、自端末の推定位置または前記外部の端末の推定位置が所定の範囲内に含まれているか否かを示す位置情報に基づいて前記所定の時間間隔を変更する周期決定ステップと、第２の通信モジュールが、前記第１の通信モジュールが送信する前記データを受信する第２の通信ステップと、第２の起動信号生成部が、前記第１の起動信号生成部に対して前記起動信号を送信する第２の起動信号生成ステップと、をコンピュータに実行させるためのプログラムである。
【発明の効果】
【００２１】
本発明によれば、通信モジュールは、第１の待機状態と、第１の待機状態よりも消費電力が高い第１の起動状態とのいずれかの状態で動作し、第１の起動状態で動作しているときに自端末とは異なる外部の端末にデータを無線送信し、かつ、データの送信終了後に第１の待機状態で動作する。また、起動信号生成部は、第２の待機状態と、第２の待機状態よりも消費電力が高い第２の起動状態とのいずれかの状態で動作し、第２の起動状態での動作と第２の待機状態での動作とを所定の時間間隔で繰り返すとともに、第２の起動状態で動作しているときに外部の端末から起動信号を受信した場合、通信モジュールの動作を第１の待機状態から第１の起動状態に移行させる移行信号を出力する。また、周期決定部は、自端末の推定位置または外部の端末の推定位置が所定の範囲内に含まれているか否かを示す位置情報に基づいて所定の時間間隔を変更する。
【００２２】
これにより、自端末の推定位置または外部の端末の推定位置が所定の範囲内に含まれているか否かに基づいて、起動信号生成部が第２の待機状態と第２の起動状態とのいずれかの状態で動作する時間間隔を変更することができる。また、起動信号生成部は、第２の起動状態で動作しているときに外部の端末から起動信号を受信した場合、通信モジュールの動作を第１の待機状態から第１の起動状態に移行させる。従って、消費電力をより低減することができる。
【図面の簡単な説明】
【００２３】
【図１】本発明の第１の実施形態における生体データ監視システムの構成を示した概略図である。
【図２】本発明の第１の実施形態における無線センシング端末の構成を示したブロック図である。
【図３】本発明の第１の実施形態におけるデータ収集端末の構成を示したブロック図である。
【図４】本発明の第１の実施形態における無線センシング端末の動作手順を示したフローチャートである。
【図５】本発明の第１の実施形態における起動信号受信回路の動作周期を決定する処理を示したフローチャートである。
【図６】本発明の第１の実施形態におけるデータ収集端末の動作手順を示したフローチャートである。
【図７】本発明の第１の実施形態において、起動信号受信回路の動作周期が短周期である場合の第２の待機状態と第２の起動状態の周期と、起動信号送信回路の待機状態と送信状態との周期との関係を示したタイミングチャートである。
【図８】本発明の第１の実施形態において、起動信号受信回路の動作周期が長周期である場合の第２の待機状態と第２の起動状態の周期と、起動信号送信回路の待機状態と送信状態との周期との関係を示したタイミングチャートである。
【図９】本発明の第２の実施形態における無線センシング端末の構成を示したブロック図である。
【図１０】本発明の第２の実施形態における無線センシング端末の動作手順を示したフローチャートである。
【図１１】本発明の第２の実施形態における起動信号受信回路の動作周期を決定する処理を示したフローチャートである。
【図１２】本発明の第３の実施形態における無線センシング端末の構成を示したブロック図である。
【図１３】本発明の第３の実施形態における無線センシング端末の動作手順を示したフローチャートである。
【図１４】本発明の第３の実施形態における起動信号受信回路の動作周期を決定する処理を示したフローチャートである。
【図１５】本発明の第４の実施形態における無線センシング端末の構成を示したブロック図である。
【図１６】本発明の第４の実施形態におけるデータ収集端末の構成を示したブロック図である。
【図１７】本発明の第４の実施形態における無線センシング端末の動作手順を示したフローチャートである。
【図１８】本発明の第４の実施形態におけるデータ収集端末の動作手順を示したフローチャートである。
【図１９】本発明の第５の実施形態における無線センシング端末の構成を示したブロック図である。
【図２０】本発明の第５の実施形態におけるデータ収集端末の構成を示したブロック図である。
【図２１】本発明の第５の実施形態における無線センシング端末の動作手順を示したフローチャートである。
【図２２】本発明の第５の実施形態におけるデータ収集端末の動作手順を示したフローチャートである。
【図２３】本発明の第５の実施形態において、起動信号受信回路の動作周期が長周期である場合の第２の待機状態と第２の起動状態の周期と、起動信号送信回路の動作周期が長周期である場合の待機状態と送信状態との周期との関係を示したタイミングチャートである。
【発明を実施するための形態】
【００２４】
（第１の実施形態）
以下、本発明の第１の実施形態について図を参照しながら説明する。図１は、本実施形態における生体データ監視システムの構成を示した概略図である。図示する例では、生体データ監視システム１は、無線センシング端末１０と、データ収集端末２０とを備える。無線センシング端末１０は、各種センサを使って人体表面または体内から血圧、脈拍、心電、心拍、血中酸素濃度、体温、尿糖、血糖等の生体データを取得する。また、無線センシング端末１０は、各種センサを使って無線センシング端末１０が備える各部の状態を示す機器状態データを取得する。また、無線センシング端末１０は、取得した生体データ及び機器状態データをデータ収集端末２０に無線伝送する。データ収集端末２０は、無線センシング端末１０から無線伝送される生体データ及び機器状態データを収集して保存する。なお、無線センシング端末１０は人体表面または体内に設置される。また、データ収集端末２０は体外に設置される。
【００２５】
なお、本実施形態では、無線センシング端末１０とデータ収集端末２０とが１対１で無線通信を行うものとして説明を行うが、１対Ｎ、Ｍ対１、Ｍ対Ｎのいずれの関係においても、本発明は適用可能である（ＮおよびＭは自然数）。
【００２６】
次に、無線センシング端末１０の構成について説明する。図２は、本実施形態における無線センシング端末１０の構成を示したブロック図である。図示する例では、無線センシング端末１０は、センサ部１１と、起動信号出力部１２と、無線通信部１３（通信モジュール、第１の通信モジュール）と、記憶部１４と、アンテナ１５とを備える。なお、無線センシング端末１０は、図示せぬ電池を備えている。電池は、無線センシング端末１０が備える各部に電力を供給している。
【００２７】
センサ部１１は、人体表面または体内に設置され、血圧、脈拍、心電、心拍、血中酸素濃度、体温、尿糖、血糖等をセンシングして生体データを取得する。また、センサ部１１は、無線センシング端末１０が備える各部の状態をセンシングして機器状態データを取得する。以下、センサ部１１が取得する生体データや機器状態データなどを収集データと記載する。また、センサ部１１は、収集データを無線通信部１３に対して出力する。
【００２８】
起動信号出力部１２は、位置情報取得部１２１（取得部）と、周期決定部１２２と、周期記憶部１２３と、制御部１２４と、起動信号受信回路１２５（起動信号生成部、第１の起動信号生成部）とを備える。位置情報取得部１２１は、ＧＰＳ（Ｇｌｏｂａｌ  Ｐｏｓｉｔｉｏｎｉｎｇ  Ｓｙｓｔｅｍ、グローバル・ポジショニング・システム）などを用いて自端末の位置情報を取得し、自端末の現在位置が所定の範囲（エリア、領域）内であるか否かを示す位置情報を周期決定部１２２に対して出力する。なお、所定の範囲は予め決められていても良く、任意に設定できるようにしてもよい。例えば、無線センシング端末１０が収集データの送信動作を行う病院内や自宅内を所定の範囲とする。
【００２９】
周期決定部１２２は、位置情報取得部１２１から入力された位置情報と、周期記憶部１２３が記憶する動作周期テーブルとに基づいて、起動信号受信回路１２５の動作周期を決定する。周期記憶部１２３は、位置情報に対応する起動信号受信回路１２５の動作周期を示す動作周期テーブルを記憶している。なお、動作周期テーブルの値は予め決められていても良く、任意に設定できるようにしてもよい。
【００３０】
本実施形態の動作周期テーブルには、自装置の現在位置が所定の範囲内であることを示す位置情報に対応する起動信号受信回路１２５の動作周期として動作周期ｍ秒が記憶されており、自装置の現在位置が所定の範囲内ではないことを示す位置情報に対応する起動信号受信回路１２５の動作周期として動作周期ｎ秒が予め記憶されているとする。この場合、周期決定部１２２は、位置情報取得部１２１から入力された位置情報が、自装置の現在位置が所定の範囲内であることを示す情報である場合、起動信号受信回路１２５の動作周期をｍ秒と決定する。また、周期決定部１２２は、位置情報取得部１２１から入力された位置情報が、自装置の現在位置が所定の範囲内ではないことを示す情報である場合、起動信号受信回路１２５の動作周期をｎ秒と決定する。なお、動作周期ｍ秒よりも動作周期ｎ秒の方が長い周期である。すなわち、周期決定部１２２は、自装置の現在位置が所定の範囲内である場合、動作周期を短い周期（短周期）と決定し、自装置の現在位置が所定の範囲内ではない場合、動作周期を長い周期（長周期）と決定する。
【００３１】
制御部１２４は、周期決定部１２２が決定した動作周期に基づいて、起動信号受信回路１２５に対して受信指示信号を出力し、起動信号受信回路１２５に受信処理を実行させる。起動信号受信回路１２５は、制御部１２４から受信指示信号が入力された場合、受信動作を一定時間行い、その後、受信動作を終了し、待機状態（第２の待機状態）で動作する。これにより、起動信号受信回路１２５は、受信動作を行う状態（第２の起動状態）での動作と第２の待機状態での動作とを一定周期毎に繰り返すことができる。なお、起動信号受信回路１２５は第２の起動状態で動作する際に受信動作を行っているため、第２の待機状態で動作する際よりも第２の起動状態で動作する際の方が起動信号受信回路１２５の消費電力が高くなる。また、起動信号受信回路１２５は、受信動作中に、データ収集端末２０から送信される起動信号を受信した場合、無線通信部１３に対して移行信号を出力する。
【００３２】
無線通信部１３は、起動信号受信回路１２５から移行信号が入力された場合、センサ部１１から入力された収集データを、アンテナ１５を介してデータ収集端末２０に対して送信する。また、無線通信部１３は、収集データの送信が完了した後、待機状態（第１の待機状態）で動作する。これにより、無線通信部１３は、送信動作を行う状態（第１の起動状態）と第１の待機状態とのいずれかの状態で動作することができる。なお、無線通信部１３は第１の起動状態時に送信動作を行っているため、第１の待機状態で動作する際よりも第１の起動状態で動作する際の方が無線通信部１３の消費電力が高くなる。記憶部１４は、無線センシング端末１０が備える各部が実行するプログラムや、動作に用いるデータを記憶する。なお、本発明の特徴を表す必須構成は、無線通信部１３と、周期決定部１２２と、起動信号受信回路１２５である。
【００３３】
次に、データ収集端末２０の構成について説明する。図３は、本実施形態におけるデータ収集端末２０の構成を示したブロック図である。図示する例では、データ収集端末２０は、無線通信部２１（第２の通信モジュール）と、起動信号送信回路２２（第２の起動信号生成部）と、データ処理部２３と、記憶部２４と、表示部２５と、アンテナ２６とを備える。なお、データ収集端末２０は、図示せぬ電池を備えている。電池は、データ収集端末２０が備える各部に電力を供給している。
【００３４】
無線通信部２１は、無線センシング端末１０から送信される収集データを、アンテナ２６を介して受信する。起動信号送信回路２２は、待機状態と、待機状態よりも消費電力の高い送信状態とのいずれかの状態で動作する。起動信号送信回路２２は、待機状態で動作する際には処理を行わない。また、起動信号送信回路２２は、送信状態で動作する際に、収集データを受信する指示入力を受け付けた場合、起動信号を無線センシング端末１０に対してアンテナ２６を介して送信する。例えば、データ収集端末２０が備える通信要求ボタン（図示せぬ）がユーザによって押下された場合、起動信号送信回路２２は収集データを受信する指示入力を受け付けたと判定する。なお、起動信号送信回路２２は、待機状態での動作と送信状態での動作とを一定周期毎に繰り返す。
【００３５】
データ処理部２３は、無線通信部２１が受信した収集データのデータ形式を記憶用のデータ形式に変換して記憶用データを生成し、生成した記憶用データを記憶部２４に対して出力する。また、データ処理部２３は、無線通信部２１が受信した収集データを文字や画像などの表示データに変換し、変換した表示データを表示部２５に対して出力する。記憶部２４は、データ処理部２３から入力された記憶用データを記憶する。また、記憶部２４は、データ収集端末２０が備える各部が実行するプログラムや、動作に用いるデータを記憶する。表示部２５は、データ処理部２３から入力された表示データを表示する。この構成により、データ収集端末２０は、無線センシング端末１０から送信された収集データを表示部２５に表示させることができ、記憶部２４に記憶させることができる。
【００３６】
次に、無線センシング端末１０の動作手順について説明する。図４は、本実施形態における無線センシング端末１０の動作手順を示したフローチャートである。
（ステップＳ１０１）位置情報取得部１２１は、自端末の位置情報を取得し、自端末の現在位置が所定の範囲内であるか否かを示す位置情報を周期決定部１２２に対して出力する。その後、ステップＳ１０２の処理に進む。
【００３７】
（ステップＳ１０２）周期決定部１２２は、ステップＳ１０１の処理で位置情報取得部１２１から入力された位置情報と、周期記憶部１２３が記憶する動作周期テーブルとに基づいて、起動信号受信回路１２５の動作周期を決定する。その後、ステップＳ１０３の処理に進む。なお、起動信号受信回路１２５の動作周期を決定する処理の詳細については後述する。
【００３８】
（ステップＳ１０３）制御部１２４は、ステップＳ１０２の処理で周期決定部１２２が決定した動作周期に基づいて、起動信号受信回路１２５が第２の待機状態で動作するように制御する。具体的には、制御部１２４は、周期決定部１２２が決定した動作周期の間、処理を待機する。起動信号受信回路１２５は、制御部１２４から受信指示信号が入力されないため、第２の待機状態で動作する。その後、ステップＳ１０４の処理に進む。
【００３９】
（ステップＳ１０４）制御部１２４は、ステップＳ１０２の処理で周期決定部１２２が決定した動作周期に基づいて、起動信号受信回路１２５に対して受信指示信号を出力し、起動信号受信回路１２５に受信処理を実行させる。起動信号受信回路１２５は、制御部１２４から受信指示信号が入力されたため、第２の起動状態で動作する。すなわち、起動信号受信回路１２５は、受信動作を行う。その後、ステップＳ１０５の処理に進む。
【００４０】
（ステップＳ１０５）起動信号受信回路１２５は、受信動作中に起動信号を受信したか否かを判定する。受信動作中に起動信号を受信したと判定した場合にはステップＳ１０６の処理に進み、それ以外の場合にはステップＳ１０８の処理に進む。
（ステップＳ１０６）起動信号受信回路１２５は、無線通信部１３に対して移行信号を出力する。その後、ステップＳ１０７の処理に進む。
（ステップＳ１０７）無線通信部１３は、ステップＳ１０６の処理で移行信号が入力されたため、センサ部１１から入力された収集データを、アンテナ１５を介してデータ収集端末２０に対して送信する（第１の起動状態で動作する）。また、無線通信部１３は、収集データの送信が完了した後、第１の待機状態で動作する。その後、ステップＳ１０８の処理に進む。
【００４１】
（ステップＳ１０８）制御部１２４は、処理を終了するか否かを判定する。例えば、制御部１２４は、無線通信部１３がデータ収集端末２０から終了コマンドを受信した場合、処理を終了すると判定する。制御部１２４が処理を終了すると判定した場合、処理を終了し、それ以外の場合にはステップＳ１０１の処理に戻る。
【００４２】
次に、ステップＳ１０２の処理における起動信号受信回路１２５の動作周期を決定する処理の詳細について説明する。図５は、起動信号受信回路１２５の動作周期を決定する処理を示したフローチャートである。
（ステップＳ１０２１）周期決定部１２２は、位置情報取得部１２１から入力された位置情報と、周期記憶部１２３が記憶する動作周期テーブルとに基づいて、自装置の現在位置が所定の範囲内であるか否かを判定する。自装置の現在位置が所定の範囲内であると周期決定部１２２が判定した場合にはステップＳ１０２２の処理に進み、それ以外の場合にはステップＳ１０２３の処理に進む。
【００４３】
（ステップＳ１０２２）周期決定部１２２は、起動信号受信回路１２５の動作周期を短周期と決定する。その後、処理を終了する。
（ステップＳ１０２３）周期決定部１２２は、起動信号受信回路１２５の動作周期を長周期と決定する。その後、処理を終了する。
【００４４】
次に、データ収集端末２０の動作手順について説明する。図６は、本実施形態におけるデータ収集端末２０の動作手順を示したフローチャートである。
（ステップＳ２０１）起動信号送信回路２２は、一定時間の間、待機状態で動作する。その後、ステップＳ２０２の処理に進む。
（ステップＳ２０２）起動信号送信回路２２は、一定時間の間、送信状態で動作する。その後、ステップＳ２０３の処理に進む。
【００４５】
（ステップＳ２０３）起動信号送信回路２２は、収集データを受信する指示入力を受け付けたか否かを判定する。収集データを受信する指示入力を受け付けたと起動信号送信回路２２が判定した場合にはステップＳ２０４の処理に進み、それ以外の場合にはステップＳ２０１の処理に戻る。
【００４６】
（ステップＳ２０４）起動信号送信回路２２は、起動信号を無線センシング端末１０に対してアンテナ２６を介して送信する。その後、ステップＳ２０５の処理に進む。
（ステップＳ２０５）無線通信部２１は、無線センシング端末１０から送信される収集データを、アンテナ２６を介して受信する。また、データ処理部２３は、無線通信部２１が受信した収集データのデータ形式を記憶用のデータ形式に変換して記憶用データを生成し、生成した記憶用データを記憶部２４に対して出力する。また、データ処理部２３は、無線通信部２１が受信した収集データを文字や画像などの表示データに変換し、変換した表示データを表示部２５に対して出力する。記憶部２４は、データ処理部２３から入力された記憶用データを記憶する。表示部２５は、データ処理部２３から入力された表示データを表示する。その後、ステップＳ２０６の処理に進む。
【００４７】
（ステップＳ２０６）起動信号送信回路２２は、処理を終了するか否かを判定する。例えば、データ収集端末２０が備える停止ボタン（図示せぬ）がユーザによって押下された場合、起動信号送信回路２２は処理を終了すると判定する。起動信号送信回路２２が処理を終了すると判定した場合、処理を終了し、それ以外の場合にはステップＳ２０１の処理に戻る。
【００４８】
次に、無線センシング端末１０が備える起動信号受信回路１２５の第２の待機状態と第２の起動状態の周期と、データ収集端末２０が備える起動信号送信回路２２の待機状態と送信状態との周期との関係について説明する。図７は、本実施形態における無線センシング端末１０が備える起動信号受信回路１２５の動作周期が短周期である場合の第２の待機状態と第２の起動状態の周期と、データ収集端末２０が備える起動信号送信回路２２の待機状態と送信状態との周期との関係を示したタイミングチャートである。図８は、本実施形態における無線センシング端末１０が備える起動信号受信回路１２５の動作周期が長周期である場合の第２の待機状態と第２の起動状態の周期と、データ収集端末２０が備える起動信号送信回路２２の待機状態と送信状態との周期との関係を示したタイミングチャートである。
【００４９】
無線センシング端末１０が備える起動信号受信回路１２５は、ステップＳ１０２の処理で決定した周期に応じて、第２の待機状態での動作と第２の起動状態での動作とを繰り返す。例えば、周期決定部１２２が起動信号受信回路１２５の動作周期を短周期と決定した場合、図７に示すように、制御部１２４は、データ収集端末２０が備える起動信号送信回路２２の待機状態と送信状態との周期と同じ周期となるように、無線センシング端末１０が備える起動信号受信回路１２５の動作状態を制御する。また、例えば、周期決定部１２２が起動信号受信回路１２５の動作周期を長周期と決定した場合、図８に示すように、制御部１２４は、データ収集端末２０が備える起動信号送信回路２２の待機状態と送信状態との周期の整数倍の周期となるように、無線センシング端末１０が備える起動信号受信回路１２５の動作状態を制御する。図示する例では、制御部１２４は、データ収集端末２０が備える起動信号送信回路２２の待機状態と送信状態との周期の２倍の周期となるように、無線センシング端末１０が備える起動信号受信回路１２５の動作状態を制御する。
【００５０】
なお、図７に示した例では、周期決定部１２２が起動信号受信回路１２５の動作周期を短周期と決定した場合、制御部１２４は、データ収集端末２０が備える起動信号送信回路２２の待機状態と送信状態との周期の１倍の周期（同じ周期）となるように、無線センシング端末１０が備える起動信号受信回路１２５の動作状態を制御しているが、これに限らず、整数倍の周期となるように起動信号受信回路１２５の動作状態を制御するようにしてもよい。同様に、図８に示した例では、周期決定部１２２が起動信号受信回路１２５の動作周期を長周期と決定した場合、制御部１２４は、データ収集端末２０が備える起動信号送信回路２２の待機状態と送信状態との周期の２倍の周期となるように、無線センシング端末１０が備える起動信号受信回路１２５の動作状態を制御しているが、これに限らず、整数倍の周期となるように起動信号受信回路１２５の動作状態を制御するようにしてもよい。
【００５１】
上述した通り、本実施形態によれば、無線センシング端末１０が備える無線通信部１３は、送信動作を行わない第１の待機状態と、自端末とは異なるデータ収集端末２０に対して収集データを送信する第１の起動状態とのいずれかの状態で動作する。また、無線通信部１３は、収集データの送信が完了した後、第１の待機状態で動作する。また、起動信号受信回路１２５は、受信動作を行わない第２の待機状態と、受信動作を行う第２の起動状態とのいずれかの状態で動作し、第２の起動状態での動作と第２の待機状態での動作とを所定の時間間隔で繰り返す。また、起動信号受信回路１２５は、第２の起動状態で動作しているときにデータ収集端末２０から起動信号を受信した場合、無線通信部１３の動作を第１の待機状態から第１の起動状態に移行させる移行信号を出力する。
【００５２】
また、周期決定部１２２は、自端末の推定位置が所定の範囲内に含まれているか否かを示す位置情報に基づいて、起動信号受信回路１２５が第２の起動状態での動作と第２の待機状態での動作とを繰り返す所定の時間間隔（周期）を変更する。具体的には、周期決定部１２２は、自端末の推定位置が所定の範囲内に含まれている場合、起動信号受信回路１２５が第２の起動状態での動作と第２の待機状態での動作とを繰り返す所定の時間間隔を短くする（周期を短周期とする）。また、周期決定部１２２は、自端末の推定位置が所定の範囲内に含まれていない場合、起動信号受信回路１２５が第２の起動状態での動作と第２の待機状態での動作とを繰り返す所定の時間間隔を長くする（周期を長周期とする）。
【００５３】
これにより、無線センシング端末１０が所定の範囲内に存在する場合、起動信号受信回路１２５が第２の起動状態で動作する周期を短くし、無線センシング端末１０が所定の範囲内に存在しない場合、起動信号受信回路１２５が第２の起動状態で動作する周期を長くすることができる。また、起動信号受信回路１２５がデータ収集端末２０から起動信号を受信した場合、無線通信部１３は収集データの送信を行う。また、無線通信部１３は、収集データの送信を完了した場合、第１の待機状態で動作する。
【００５４】
従って、無線センシング端末１０は、自端末の位置が所定の範囲内に含まれていない場合、起動信号受信回路１２５が第２の待機状態で動作する時間を長くすることができる。よって、無線センシング端末１０は、消費電力をより低減することができる。例えば、所定の範囲を病院や自宅と設定した場合、無線センシング端末１０は、病院や自宅といった収集データの送信動作を行う場所以外に自端末が存在すると推定できる場合、消費電力をより低減することができる。
【００５５】
なお、上述した例では、所定の範囲内に自端末が存在する場合と存在しない場合とに応じて、起動信号受信回路１２５が第２の起動状態と第２の待機状態とで動作する周期を決定したが、これに限らない。例えば、複数の範囲を設定し、各範囲に自端末が存在する場合に応じて、起動信号受信回路１２５が第２の起動状態と第２の待機状態とで動作する周期を決定するようにしてもよい。
【００５６】
（第２の実施形態）
次に、本発明の第２の実施形態について図を参照しながら説明する。本実施形態における生体監視システムは、第１の実施形態と同様に、無線センシング端末３０とデータ収集端末２０とを備える。本実施形態と第１の実施形態とで異なる点は、無線センシング端末３０が備える起動信号出力部の構成である。なお、本実施形態における無線センシング端末３０が備える他の構成は、第１の実施形態における構成と同様である。また、本実施形態におけるデータ収集端末２０は、第１の実施形態におけるデータ収集端末２０と同様の構成である。また、本実施形態におけるデータ収集端末２０の動作は、第１の実施形態におけるデータ収集端末２０と同様の動作である。
【００５７】
次に、無線センシング端末３０の構成について説明する。図９は、本実施形態における無線センシング端末３０の構成を示したブロック図である。図示する例では、無線センシング端末３０は、センサ部１１と、起動信号出力部３２と、無線通信部１３と、記憶部１４と、アンテナ１５とを備える。なお、無線センシング端末３０は、図示せぬ電池を備えている。電池は、無線センシング端末３０が備える各部に電力を供給している。
【００５８】
センサ部１１と、無線通信部１３と、記憶部１４と、アンテナ１５とは、第１の実施形態における各部と同様である。起動信号出力部３２は、スポット通過検出部３２１（取得部）と、周期決定部１２２と、周期記憶部１２３と、制御部１２４と、起動信号受信回路１２５とを備える。制御部１２４と、起動信号受信回路１２５とは、第１の実施形態における各部と同様である。
【００５９】
スポット通過検出部３２１は、ＲＦＩＤ（Ｒａｄｉｏ  Ｆｒｅｑｕｅｎｃｙ  ＩＤｅｎｔｉｆｉｃａｔｉｏｎ）などを用いて自端末が所定のスポット（場所）を通過したことを検出し、所定のスポットを通過した時刻を示すスポット通過時刻情報を周期決定部１２２に対して出力する。なお、所定のスポットは予め決められていても良く、任意に設定できるようにしてもよい。例えば、無線センシング端末３０が収集データの送信動作を行う病院や自宅の入り口を所定のスポットとする。
【００６０】
周期決定部１２２は、スポット通過検出部３２１から入力されたスポット経過時刻情報と、現在の時刻と、周期記憶部１２３が記憶する動作周期テーブルとに基づいて、起動信号受信回路１２５の動作周期を決定する。周期記憶部１２３は、スポット経過時刻情報で示されるスポット経過時刻から経過した時間に対応する起動信号受信回路１２５の動作周期を示す動作周期テーブルを記憶している。なお、周期決定部１２２は、無線センシング端末３０が備える時計部（図示せぬ）から現在の時刻を取得する。また、動作周期テーブルの値は予め決められていても良く、任意に設定できるようにしてもよい。
【００６１】
本実施形態の動作周期テーブルには、スポット経過時刻情報で示されるスポット経過時刻から経過した時間がｘ分以内（所定の時間内）の場合に対応する起動信号受信回路１２５の動作周期として動作周期ｍ秒が記憶されており、スポット経過時刻情報で示されるスポット経過時刻から経過した時間がｘ分以内ではない（所定の時間内ではない）場合に対応する起動信号受信回路１２５の動作周期として動作周期ｎ秒が予め記憶されているとする。この場合、周期決定部１２２は、スポット経過時刻情報で示されるスポット経過時刻から経過した時間がｘ分以内の場合、起動信号受信回路１２５の動作周期をｍ秒（短周期）と決定する。また、周期決定部１２２は、スポット経過時刻情報で示されるスポット経過時刻から経過した時間がｘ分以内ではない場合、起動信号受信回路１２５の動作周期をｎ秒（長周期）と決定する。なお、動作周期ｍ秒よりも動作周期ｎ秒の方が長い周期である。
【００６２】
次に、無線センシング端末３０の動作手順について説明する。図１０は、本実施形態における無線センシング端末３０の動作手順を示したフローチャートである。
（ステップＳ３０１）スポット通過検出部３２１は、ＲＦＩＤなどを用いて自端末が所定のスポットを通過したことを検出し、所定のスポットを通過した時刻を示すスポット通過時刻情報を周期決定部１２２に対して出力する。その後、ステップＳ３０２の処理に進む。
【００６３】
（ステップＳ３０２）周期決定部１２２は、ステップＳ３０１の処理でスポット通過検出部３２１から入力されたスポット通過時刻情報と、現時刻と、周期記憶部１２３が記憶する動作周期テーブルとに基づいて、起動信号受信回路１２５の動作周期を決定する。その後、ステップＳ３０３の処理に進む。なお、起動信号受信回路１２５の動作周期を決定する処理の詳細については後述する。
【００６４】
ステップＳ３０３〜ステップＳ３０８の処理は、第１の実施形態におけるステップＳ１０３〜ステップＳ１０８の処理と同様の処理である。
【００６５】
次に、ステップＳ３０２の処理における起動信号受信回路１２５の動作周期を決定する処理の詳細について説明する。図１１は、起動信号受信回路１２５の動作周期を決定する処理を示したフローチャートである。
【００６６】
（ステップＳ３０２１）周期決定部１２２は、スポット通過検出部３２１から入力されたスポット経過時刻情報で示されるスポット経過時刻から経過した時間が所定の時間内であるか否かを判定する。スポット経過時刻から経過した時間が所定の時間内であると周期決定部１２２が判定した場合にはステップＳ３０２２の処理に進み、それ以外の場合にはステップＳ３０２３の処理に進む。
【００６７】
（ステップＳ３０２２）周期決定部１２２は、起動信号受信回路１２５の動作周期を短周期と決定する。その後、処理を終了する。
（ステップＳ３０２３）周期決定部１２２は、起動信号受信回路１２５の動作周期を長周期と決定する。その後、処理を終了する。
【００６８】
上述した通り、本実施形態によれば、無線センシング端末３０が備える周期決定部１２２は、所定のスポットを通過してからｘ分以内の場合、動作周期を短い周期と決定し、所定のスポットを通過してからｘ分以内ではない場合、動作周期を長い周期と決定する。例えば、所定のスポットが病院の入り口の場合、病院の入り口を通過してからｘ分以内の場合、すなわち無線センシング端末３０が病院内に存在する可能性が高い場合、周期決定部１２２は動作周期を短い周期と決定する（周期を短周期とする）。また、病院の入り口を通過してからｘ分以内では無い場合、すなわち無線センシング端末３０が病院内に存在する可能性が低い場合、周期決定部１２２は動作周期を長い周期と決定する（周期を長周期とする）。
【００６９】
従って、無線センシング端末３０は、所定のスポットを通過してから所定の時間内ではない場合、すなわち、無線センシング端末３０の位置が所定の範囲内に存在しない可能性が高い場合、起動信号受信回路１２５が第２の待機状態で動作する時間を長くすることができる。よって、無線センシング端末３０は、消費電力をより低減することができる。例えば、所定のスポットを病院の入り口や自宅の入り口と設定した場合、無線センシング端末３０は、病院や自宅といった収集データの送信動作を行う場所以外に自端末が存在すると推定できる場合、消費電力をより低減することができる。
【００７０】
（第３の実施形態）
次に、本発明の第３の実施形態について図を参照しながら説明する。本実施形態における生体監視システムは、第１の実施形態と同様に、無線センシング端末４０とデータ収集端末２０とを備える。本実施形態と第１の実施形態とで異なる点は、無線センシング端末４０が備える起動信号出力部の構成である。なお、本実施形態における無線センシング端末４０が備える他の構成は、第１の実施形態における構成と同様である。また、本実施形態におけるデータ収集端末２０は、第１の実施形態におけるデータ収集端末２０と同様の構成である。また、本実施形態におけるデータ収集端末２０の動作は、第１の実施形態におけるデータ収集端末２０と同様の動作である。
【００７１】
次に、無線センシング端末４０の構成について説明する。図１２は、本実施形態における無線センシング端末４０の構成を示したブロック図である。図示する例では、無線センシング端末４０は、センサ部１１と、起動信号出力部４２と、無線通信部１３と、記憶部１４と、アンテナ１５とを備える。なお、無線センシング端末４０は、図示せぬ電池を備えている。電池は、無線センシング端末４０が備える各部に電力を供給している。
【００７２】
センサ部１１と、無線通信部１３と、記憶部１４と、アンテナ１５とは、第１の実施形態における各部と同様である。起動信号出力部４２は、時刻情報取得部４２１と、周期決定部１２２と、周期記憶部１２３と、制御部１２４と、起動信号受信回路１２５とを備える。制御部１２４と、起動信号受信回路１２５とは、第１の実施形態における各部と同様である。
【００７３】
時刻情報取得部４２１は、ＲＴＣ（Ｒｅａｌ  Ｔｉｍｅ  Ｃｌｏｃｋ）などを用いて現在の時刻を取得し、現在の時刻を示す情報である時刻情報を周期決定部１２２に対して出力する。周期決定部１２２は、時刻情報取得部４２１から入力された時刻情報と、周期記憶部１２３が記憶する動作周期テーブルとに基づいて、起動信号受信回路１２５の動作周期を決定する。周期記憶部１２３は、時刻情報で示される現在時刻に対応する起動信号受信回路１２５の動作周期を示す動作周期テーブルを記憶している。なお、動作周期テーブルの値は予め決められていても良く、任意に設定できるようにしてもよい。
【００７４】
本実施形態の動作周期テーブルには、時刻情報で示される現在時刻がａ時からｂ時に含まれる場合（所定の時間内の場合）に対応する起動信号受信回路１２５の動作周期として動作周期ｍ秒が記憶されており、時刻情報で示される現在時刻がａ時からｂ時に含まれない場合（所定の時間内ではないの場合）に対応する起動信号受信回路１２５の動作周期として動作周期ｎ秒が予め記憶されているとする。この場合、周期決定部１２２は、時刻情報で示される現在時刻がａ時からｂ時に含まれる場合（所定の時間内の場合）、起動信号受信回路１２５の動作周期をｍ秒（短周期）と決定する。また、この場合、周期決定部１２２は、時刻情報で示される現在時刻がａ時からｂ時に含まれない場合（所定の時間内ではないの場合）、起動信号受信回路１２５の動作周期をｎ秒（長周期）と決定する。なお、動作周期ｍ秒よりも動作周期ｎ秒の方が長い周期である。
【００７５】
次に、無線センシング端末４０の動作手順について説明する。図１３は、本実施形態における無線センシング端末４０の動作手順を示したフローチャートである。
（ステップＳ４０１）時刻情報取得部４２１は、ＲＴＣなどを用いて現在の時刻を取得し、現在の時刻を示す情報である時刻情報を周期決定部１２２に対して出力する。その後、ステップＳ４０２の処理に進む。
【００７６】
（ステップＳ４０２）周期決定部１２２は、ステップＳ４０１の処理で時刻情報取得部４２１から入力された時刻情報と、周期記憶部１２３が記憶する動作周期テーブルとに基づいて、起動信号受信回路１２５の動作周期を決定する。その後、ステップＳ４０３の処理に進む。なお、起動信号受信回路１２５の動作周期を決定する処理の詳細については後述する。
【００７７】
ステップＳ４０３〜ステップＳ４０８の処理は、第１の実施形態におけるステップＳ１０３〜ステップＳ１０８の処理と同様の処理である。
【００７８】
次に、ステップＳ４０２の処理における起動信号受信回路１２５の動作周期を決定する処理の詳細について説明する。図１４は、起動信号受信回路１２５の動作周期を決定する処理を示したフローチャートである。
【００７９】
（ステップＳ４０２１）周期決定部１２２は、時刻情報取得部４２１から入力された時刻情報で示される現在時刻が所定の時間内であるか否かを判定する。現在時刻が所定の時間内であると周期決定部１２２が判定した場合にはステップＳ４０２２の処理に進み、それ以外の場合にはステップＳ４０２３の処理に進む。
【００８０】
（ステップＳ４０２２）周期決定部１２２は、起動信号受信回路１２５の動作周期を短周期と決定する。その後、処理を終了する。
（ステップＳ４０２３）周期決定部１２２は、起動信号受信回路１２５の動作周期を長周期と決定する。その後、処理を終了する。
【００８１】
上述した通り、本実施形態によれば、無線センシング端末４０が備える周期決定部１２２は、現時刻が所定の時間内である場合、動作周期を短い周期と決定し、現時刻が所定の時間内ではない場合、動作周期を長い周期と決定する。例えば、所定の時間を就寝時間とした場合、すなわち無線センシング端末４０が自宅の寝室内に存在する可能性が高い場合、周期決定部１２２は動作周期を短い周期と決定する（周期を短周期とする）。また、現時刻が所定の時間内ではない場合、すなわち無線センシング端末４０が自宅の寝室内に存在する可能性が低い場合、周期決定部１２２は動作周期を長い周期と決定する（周期を長周期とする）。
【００８２】
従って、無線センシング端末４０は、現時刻が所定の時間内ではない場合、すなわち、端末の位置が所定の範囲内に存在しない可能性が高い場合、起動信号受信回路１２５が第２の待機状態で動作する時間を長くすることができる。よって、無線センシング端末４０は、消費電力をより低減することができる。例えば、所定の時間を就寝時間とした場合、無線センシング端末４０は、自宅の寝室といった収集データの送信動作を行う場所以外に自端末が存在すると推定できる場合、消費電力をより低減することができる。
【００８３】
（第４の実施形態）
次に、本発明の第４の実施形態について図を参照しながら説明する。本実施形態における生体監視システムは、第１の実施形態と同様に、無線センシング端末５０とデータ収集端末６０とを備える。
【００８４】
次に、無線センシング端末５０の構成について説明する。図１５は、本実施形態における無線センシング端末５０の構成を示したブロック図である。図示する例では、無線センシング端末５０は、センサ部１１と、起動信号出力部５２と、無線通信部１３と、記憶部１４と、アンテナ１５とを備える。なお、無線センシング端末５０は、図示せぬ電池を備えている。電池は、無線センシング端末５０が備える各部に電力を供給している。
【００８５】
センサ部１１と、無線通信部１３と、記憶部１４と、アンテナ１５とは、第１の実施形態における各部と同様である。起動信号出力部５２は、位置情報出力部５２１と、周期決定部１２２と、周期記憶部１２３と、制御部１２４と、起動信号受信回路１２５とを備える。
【００８６】
起動信号受信回路１２５は、制御部１２４から受信指示信号が入力された場合、受信動作を一定時間行い、その後、受信動作を終了し、待機状態（第２の待機状態）で動作する。これにより、起動信号受信回路１２５は、受信動作を行う状態（第２の起動状態）での動作と第２の待機状態での動作とを一定周期毎に繰り返すことができる。なお、起動信号受信回路１２５は第２の起動状態で動作する際に受信動作を行っているため、第２の待機状態で動作する際よりも第２の起動状態で動作する際の方が起動信号受信回路１２５の消費電力が高くなる。また、起動信号受信回路１２５は、受信動作中に、データ収集端末６０から送信される、移行信号と受信ビット列とを含むデータを受信した場合、無線通信部１３に対して移行信号を出力し、位置情報出力部５２１に対して受信ビット列を出力する。
【００８７】
位置情報出力部５２１は、起動信号受信回路１２５から入力された受信ビット列に位置情報が含まれている場合、周期決定部１２２に対して位置情報を出力する。なお、データ収集端末６０から送信される位置情報は、データ収集端末６０の推定位置が所定の範囲内に含まれているか否かを示す情報である。
【００８８】
周期決定部１２２は、位置情報出力部５２１から入力された位置情報と、周期記憶部１２３が記憶する動作周期テーブルとに基づいて、起動信号受信回路１２５の動作周期を決定する。周期記憶部１２３は、位置情報に対応する起動信号受信回路１２５の動作周期を示す動作周期テーブルを記憶している。なお、動作周期テーブルの値は予め決められていても良く、任意に設定できるようにしてもよい。
【００８９】
本実施形態の動作周期テーブルには、データ収集端末６０の現在位置が所定の範囲内であることを示す位置情報に対応する起動信号受信回路１２５の動作周期として、動作周期ｍ秒が記憶されており、データ収集端末６０の現在位置が所定の範囲内ではないことを示す位置情報に対応する起動信号受信回路１２５の動作周期として、動作周期ｎ秒が予め記憶されているとする。この場合、周期決定部１２２は、位置情報出力部５２１から入力された位置情報が、データ収集端末６０の現在位置が所定の範囲内であることを示す情報である場合、起動信号受信回路１２５の動作周期をｍ秒（短周期）と決定する。また、周期決定部１２２は、位置情報取得部１２１から入力された位置情報が、データ収集端末６０の現在位置が所定の範囲内ではないことを示す情報である場合、起動信号受信回路１２５の動作周期をｎ秒（長周期）と決定する。なお、動作周期ｍ秒よりも動作周期ｎ秒の方が長い周期である。すなわち、周期決定部１２２は、データ収集端末６０の現在位置が所定の範囲内である場合、動作周期を短い周期と決定し、データ収集端末６０の現在位置が所定の範囲内ではない場合、動作周期を長い周期と決定する。
【００９０】
制御部１２４は、周期決定部１２２が決定した動作周期に基づいて、起動信号受信回路１２５に対して受信指示信号を出力し、起動信号受信回路１２５に受信処理を実行させる。
【００９１】
次に、データ収集端末６０の構成について説明する。図１６は、本実施形態におけるデータ収集端末６０の構成を示したブロック図である。図示する例では、データ収集端末６０は、無線通信部２１と、起動信号送信回路２２と、データ処理部２３と、記憶部２４と、表示部２５と、アンテナ２６と、位置情報取得部６１（取得部）とを備える。なお、データ収集端末６０は、図示せぬ電池を備えている。電池は、データ収集端末６０が備える各部に電力を供給している。
【００９２】
無線通信部２１と、データ処理部２３と、記憶部２４と、表示部２５と、アンテナ２６とは、第１の実施形態における各部と同様である。位置情報取得部６１は、ＧＰＳなどを用いて自端末の位置情報を取得し、自端末の現在位置が所定の範囲内であるか否かを示す位置情報を起動信号送信回路２２に対して出力する。なお、所定の範囲は予め決められていても良く、任意に設定できるようにしてもよい。例えば、病院内や自宅内を所定の範囲とする。
【００９３】
起動信号送信回路２２は、待機状態と、待機状態よりも消費電力の高い送信状態とのいずれかの状態で動作する。起動信号送信回路２２は、待機状態で動作する際には処理を行わない。また、起動信号送信回路２２は、送信状態で動作する際に、収集データを受信する指示入力を受け付けた場合、位置情報取得部６１から入力された位置情報と、起動信号とを無線センシング端末５０に対してアンテナ２６を介して送信する。例えば、データ収集端末６０が備える通信要求ボタン（図示せぬ）がユーザによって押下された場合、起動信号送信回路２２は収集データを受信する指示入力を受け付けたと判定する。なお、起動信号送信回路２２は、待機状態での動作と送信状態での動作とを一定周期毎に繰り返す。
【００９４】
次に、無線センシング端末５０の動作手順について説明する。図１７は、本実施形態における無線センシング端末５０の動作手順を示したフローチャートである。
（ステップＳ５０１）制御部１２４は、周期決定部１２２が決定した動作周期に基づいて、起動信号受信回路１２５が第２の待機状態で動作するように制御する。具体的には、制御部１２４は、周期決定部１２２が決定した動作周期の間、処理を待機する。起動信号受信回路１２５は、制御部１２４から受信指示信号が入力されないため、第２の待機状態で動作する。その後、ステップＳ５０２の処理に進む。なお、無線センシング端末５０の起動時（ステップＳ５０８の処理を実行していない場合）には、周期決定部１２２は動作周期を長周期と決定する。
【００９５】
（ステップＳ５０２）制御部１２４は、周期決定部１２２が決定した動作周期に基づいて、起動信号受信回路１２５に対して受信指示信号を出力し、起動信号受信回路１２５に受信処理を実行させる。起動信号受信回路１２５は、制御部１２４から受信指示信号が入力されたため、第２の起動状態で動作する。すなわち、起動信号受信回路１２５は、受信動作を行う。その後、ステップＳ５０３の処理に進む。
【００９６】
（ステップＳ５０３）起動信号受信回路１２５は、受信動作中に起動信号を受信したか否かを判定する。受信動作中に起動信号を受信したと起動信号受信回路１２５が判定した場合にはステップＳ５０４の処理に進み、それ以外の場合にはステップＳ５０９の処理に進む。
（ステップＳ５０４）起動信号受信回路１２５は、無線通信部１３に対して移行信号を出力し、位置情報出力部５２１に対して受信ビット列を出力する。その後、ステップＳ５０５の処理に進む。
【００９７】
（ステップＳ５０５）無線通信部１３は、ステップＳ５０４の処理で移行信号が入力されたため、センサ部１１から入力された収集データを、アンテナ１５を介してデータ収集端末６０に対して送信する。また、無線通信部１３は、収集データの送信が完了した後、第１の待機状態で動作する。その後、ステップＳ５０６の処理に進む。
【００９８】
（ステップＳ５０６）位置情報出力部５２１は、起動信号受信回路１２５から入力された受信ビット列に位置情報が含まれているか否かを判定する。起動信号受信回路１２５から入力された受信ビット列に位置情報が含まれていると位置情報出力部５２１が判定した場合にはステップＳ５０７の処理に進み、それ以外の場合にはステップＳ５０９の処理に進む。
【００９９】
（ステップＳ５０７）位置情報出力部５２１は、起動信号受信回路１２５から入力された受信ビット列に含まれている位置情報を周期決定部１２２に対して出力する。その後、ステップＳ５０８の処理に進む。
（ステップＳ５０８）周期決定部１２２は、ステップＳ５０７の処理で位置情報出力部５２１から入力された位置情報と、周期記憶部１２３が記憶する動作周期テーブルとに基づいて、起動信号受信回路１２５の動作周期を決定する。その後、ステップＳ５０９の処理に進む。なお、起動信号受信回路１２５の動作周期を決定する処理は、第１の実施形態で説明した処理と同様の処理である。
【０１００】
（ステップＳ５０９）制御部１２４は、処理を終了するか否かを判定する。例えば、制御部１２４は、無線通信部１３がデータ収集端末６０から終了コマンドを受信した場合、処理を終了すると判定する。制御部１２４が処理を終了すると判定した場合、処理を終了し、それ以外の場合にはステップＳ５０１の処理に戻る。
【０１０１】
次に、データ収集端末６０の動作手順について説明する。図１８は、本実施形態におけるデータ収集端末６０の動作手順を示したフローチャートである。
（ステップＳ６０１）起動信号送信回路２２は、一定時間の間、待機状態で動作する。その後、ステップＳ６０２の処理に進む。
（ステップＳ６０２）起動信号送信回路２２は、一定時間の間、送信状態で動作する。その後、ステップＳ６０３の処理に進む。
【０１０２】
（ステップＳ６０３）位置情報取得部６１は、ＧＰＳなどを用いて自端末の位置情報を取得し、自端末の現在位置が所定の範囲内であるか否かを示す位置情報を起動信号送信回路２２に対して出力する。その後、ステップＳ６０４の処理に進む。
（ステップＳ６０４）起動信号送信回路２２は、収集データを受信する指示入力を受け付けたか否かを判定する。収集データを受信する指示入力を受け付けたと起動信号送信回路２２が判定した場合にはステップ６０５の処理に進み、それ以外の場合にはステップＳ６０１の処理に戻る。
【０１０３】
（ステップＳ６０５）位置情報取得部６１は、ステップＳ６０３の処理で取得した位置情報と、前回の処理で取得した位置情報とが異なるか否かを判定する。ステップＳ６０３の処理で取得した位置情報と、前回の処理で取得した位置情報とが異なると位置情報取得部６１が判定した場合にはステップＳ６０６の処理に進み、それ以外の場合にはステップＳ６０７の処理に進む。
【０１０４】
（ステップＳ６０６）起動信号送信回路２２は、ステップＳ６０３の処理で位置情報取得部６１から入力された位置情報と、起動信号とを無線センシング端末５０に対してアンテナ２６を介して送信する。その後、ステップＳ６０８の処理に進む。
（ステップＳ６０７）起動信号送信回路２２は、起動信号を無線センシング端末５０に対してアンテナ２６を介して送信する。その後、ステップＳ６０８の処理に進む。
【０１０５】
ステップＳ６０８〜ステップＳ６０９の処理は、第１の実施形態におけるステップＳ２０５〜ステップＳ２０６の処理と同様の処理である。
【０１０６】
上述した通り、本実施形態によれば、無線センシング端末５０の無線通信部１３は、送信動作を行わない第１の待機状態と、自端末とは異なるデータ収集端末６０に対して収集データを送信する第１の起動状態とのいずれかの状態で動作する。また、無線通信部１３は、収集データの送信が完了した後、第１の待機状態で動作する。また、起動信号受信回路１２５は、受信動作を行わない第２の待機状態と、受信動作を行う第２の起動状態とのいずれかの状態で動作し、第２の起動状態での動作と第２の待機状態での動作とを所定の時間間隔で繰り返す。また、起動信号受信回路１２５は、第２の起動状態で動作しているときにデータ収集端末６０から起動信号を受信した場合、無線通信部１３の動作を第１の待機状態から第１の起動状態に移行させる移行信号を出力する。
【０１０７】
また、データ収集端末６０は、位置情報取得部６１が取得した、自端末の現在位置が所定の範囲内であるか否かを示す位置情報を無線センシング端末５０に対して送信する。また、無線センシング端末５０の周期決定部１２２は、データ収集端末６０の推定位置が所定の範囲内に含まれているか否かに基づいて、起動信号受信回路１２５が第２の起動状態での動作と第２の待機状態での動作とを繰り返す所定の時間間隔を変更する。具体的には、周期決定部１２２は、データ収集端末６０の推定位置が所定の範囲内に含まれている場合、起動信号受信回路１２５が第２の起動状態での動作と第２の待機状態での動作とを繰り返す所定の時間間隔を短くする（周期を短周期とする）。また、周期決定部１２２は、データ収集端末６０の推定位置が所定の範囲内に含まれていない場合、起動信号受信回路１２５が第２の起動状態での動作と第２の待機状態での動作とを繰り返す所定の時間間隔を長くする（周期を長周期とする）。
【０１０８】
これにより、データ収集端末６０が所定の範囲内に存在する場合、起動信号受信回路１２５が第２の起動状態で動作する周期を短くし、データ収集端末６０が所定の範囲内に存在しない場合、起動信号受信回路１２５が第２の起動状態で動作する周期を長くすることができる。また、起動信号受信回路１２５がデータ収集端末６０から起動信号を受信した場合、無線通信部１３は収集データの送信を行う。また、無線通信部１３は、収集データの送信を完了した場合、第１の待機状態で動作する。
【０１０９】
従って、無線センシング端末５０は、データ収集端末６０の位置が所定の範囲内に含まれていない場合、起動信号受信回路１２５が第２の待機状態で動作する時間を長くすることができる。よって、無線センシング端末５０は、消費電力をより低減することができる。例えば、所定の範囲を病院や自宅と設定した場合、無線センシング端末５０は、病院や自宅といった収集データの送信動作を行う場所以外にデータ収集端末６０が存在すると推定できる場合、消費電力をより低減することができる。
【０１１０】
なお、上述した例では、無線センシング端末５０が備える周期決定部１２２は、データ収集端末６０から送信される位置情報に基づいて起動信号受信回路１２５の動作周期を決定したがこれに限らない。例えば、データ収集端末６０は、スポット通過検出部３２１を備え、自端末が所定のスポットを通過したことを検出し、所定のスポットを通過した時刻を示すスポット通過時刻情報を無線センシング端末５０に対して送信する。そして、無線センシング端末５０の周期決定部１２２は、データ収集端末６０から送信されるスポット通過時刻情報と、現在時刻と、周期記憶部１２３が記憶する動作周期テーブルとに基づいて、起動信号受信回路１２５の動作周期を決定するようにしてもよい。また、例えば、データ収集端末６０は、時刻情報取得部４２１を備え、現在の時刻を示す時刻情報を無線センシング端末５０に対して送信する。そして、無線センシング端末５０の周期決定部１２２は、データ収集端末６０から送信される時刻情報と、周期記憶部１２３が記憶する動作周期テーブルとに基づいて、起動信号受信回路１２５の動作周期を決定するようにしてもよい。
【０１１１】
（第５の実施形態）
次に、本発明の第５の実施形態について図を参照しながら説明する。本実施形態における生体監視システムは、第１の実施形態と同様に、無線センシング端末７０とデータ収集端末８０とを備える。
【０１１２】
次に、無線センシング端末７０の構成について説明する。図１９は、本実施形態における無線センシング端末７０の構成を示したブロック図である。図示する例では、無線センシング端末７０は、センサ部１１と、起動信号出力部７２と、無線通信部１３と、記憶部１４と、アンテナ１５とを備える。なお、無線センシング端末７０は、図示せぬ電池を備えている。電池は、無線センシング端末７０が備える各部に電力を供給している。
【０１１３】
センサ部１１と、無線通信部１３と、記憶部１４と、アンテナ１５とは、第１の実施形態における各部と同様である。起動信号出力部７２は、周期情報出力部７２１と、制御部１２４と、起動信号受信回路１２５とを備える。
【０１１４】
起動信号受信回路１２５は、制御部１２４から受信指示信号が入力された場合、受信動作を一定時間行い、その後、受信動作を終了し、待機状態（第２の待機状態）で動作する。これにより、起動信号受信回路１２５は、受信動作を行う状態（第２の起動状態）での動作と第２の待機状態での動作とを一定周期毎に繰り返すことができる。なお、起動信号受信回路１２５は第２の起動状態で動作する際に受信動作を行っているため、第２の待機状態で動作する際よりも第２の起動状態で動作する際の方が起動信号受信回路１２５の消費電力が高くなる。また、起動信号受信回路１２５は、受信動作中に、データ収集端末８０から送信される、移行信号と受信ビット列とを含むデータを受信した場合、無線通信部１３に対して移行信号を出力し、周期情報出力部７２１に対して受信ビット列を出力する。
【０１１５】
周期情報出力部７２１は、起動信号受信回路１２５から入力された受信ビット列に周期情報が含まれている場合、制御部１２４に対して周期情報を出力する。なお、データ収集端末８０から送信される周期情報は、起動信号受信回路１２５の動作周期である。制御部１２４は、周期情報出力部７２１から入力された周期情報に基づいて、起動信号受信回路１２５に対して受信指示信号を出力し、起動信号受信回路１２５に受信処理を実行させる。
【０１１６】
次に、データ収集端末８０の構成について説明する。図２０は、本実施形態におけるデータ収集端末８０の構成を示したブロック図である。図示する例では、データ収集端末８０は、無線通信部２１と、起動信号送信回路２２と、データ処理部２３と、記憶部２４と、表示部２５と、アンテナ２６と、位置情報取得部６１と、周期決定部８１と、周期記憶部８２と、制御部８３とを備える。なお、データ収集端末６０は、図示せぬ電池を備えている。電池は、データ収集端末６０が備える各部に電力を供給している。
【０１１７】
無線通信部２１と、データ処理部２３と、記憶部２４と、表示部２５と、アンテナ２６とは、第１の実施形態における各部と同様である。位置情報取得部６１は、ＧＰＳなどを用いて自端末の位置情報を取得し、自端末の現在位置が所定の範囲内であるか否かを示す位置情報を周期決定部８１に対して出力する。なお、所定の範囲は予め決められていても良く、任意に設定できるようにしてもよい。例えば、病院内や自宅内を所定の範囲とする。
【０１１８】
周期決定部８１は、位置情報取得部６１から入力された位置情報と、周期記憶部８２が記憶する動作周期テーブルとに基づいて、無線センシング端末７０が備える起動信号受信回路１２５の動作周期を決定する。また、周期決定部８１は、決定した動作周期を示す情報である周期情報を起動信号送信回路２２と、制御部８３に対して出力する。周期記憶部８２は、位置情報に対応する起動信号受信回路１２５の動作周期を示す動作周期テーブルを記憶している。なお、動作周期テーブルの値は予め決められていても良く、任意に設定できるようにしてもよい。
【０１１９】
本実施形態の動作周期テーブルには、自装置の現在位置が所定の範囲内であることを示す位置情報に対応する起動信号受信回路１２５の動作周期として動作周期ｍ秒が記憶されており、自装置の現在位置が所定の範囲内ではないことを示す位置情報に対応する起動信号受信回路１２５の動作周期として動作周期ｎ秒が予め記憶されているとする。この場合、周期決定部１２２は、位置情報取得部６１から入力された位置情報が、自装置の現在位置が所定の範囲内であることを示す情報である場合、起動信号受信回路１２５の動作周期をｍ秒（短周期）と決定する。また、周期決定部１２２は、位置情報取得部１２１から入力された位置情報が、自装置の現在位置が所定の範囲内ではないことを示す情報である場合、起動信号受信回路１２５の動作周期をｎ秒（長周期）と決定する。なお、動作周期ｍ秒よりも動作周期ｎ秒の方が長い周期である。すなわち、周期決定部１２２は、自装置の現在位置が所定の範囲内である場合、動作周期を短い周期と決定し、自装置の現在位置が所定の範囲内ではない場合、動作周期を長い周期と決定する。
【０１２０】
制御部８３は、直前に使用した無線センシング端末７０に送信している動作周期ａと、周期決定部８１が決定した動作周期ｂの２つの動作周期を保持し、動作周期ａのタイミングで起動信号送信回路２２に対して送信処理指示信号を出力し、起動信号送信回路２２に送信処理を実行させる。制御部８３は、後述する起動信号送信回路２２が送信処理を完了した後、動作周期ａに動作周期ｂを上書きする。
【０１２１】
起動信号送信回路２２は、待機状態と、待機状態よりも消費電力の高い送信状態とのいずれかの状態で動作する。起動信号送信回路２２は、待機状態で動作する際には処理を行わない。また、起動信号送信回路２２は、制御部８３から送信処理指示信号が入力され、送信状態で動作する際に、収集データを受信する指示入力を受け付けた場合、周期決定部８１から入力された周期情報と、起動信号とを無線センシング端末７０に対してアンテナ２６を介して送信する。例えば、データ収集端末６０が備える通信要求ボタン（図示せぬ）がユーザによって押下された場合、起動信号送信回路２２は収集データを受信する指示入力を受け付けたと判定する。なお、起動信号送信回路２２は、待機状態での動作と送信状態での動作とを一定周期毎に繰り返す。
【０１２２】
次に、無線センシング端末７０の動作手順について説明する。図２１は、本実施形態における無線センシング端末７０の動作手順を示したフローチャートである。
（ステップＳ７０１）制御部１２４は、周期情報出力部７２１から入力された周期情報で特定される動作周期に基づいて、起動信号受信回路１２５が第２の待機状態で動作するように制御する。具体的には、制御部１２４は、周期情報出力部７２１から入力された周期情報で特定される動作周期の間、処理を待機する。起動信号受信回路１２５は、制御部１２４から受信指示信号が入力されないため、第２の待機状態で動作する。その後、ステップＳ７０２の処理に進む。なお、周期情報出力部７２１から周期情報が入力されていない場合（ステップＳ７０７の処理を実行していない場合）には、制御部１２４は、長周期の動作周期に基づいて、起動信号受信回路１２５が第２の待機状態で動作するように制御する。
【０１２３】
（ステップＳ７０２）制御部１２４は、周期情報出力部７２１から入力された周期情報で特定される動作周期に基づいて、起動信号受信回路１２５に対して受信指示信号を出力し、起動信号受信回路１２５に受信処理を実行させる。起動信号受信回路１２５は、制御部１２４から受信指示信号が入力されたため、第２の起動状態で動作する。すなわち、起動信号受信回路１２５は、受信動作を行う。その後、ステップＳ７０３の処理に進む。なお、周期情報出力部７２１から周期情報が入力されていない場合には、制御部１２４は、長周期の動作周期に基づいて、起動信号受信回路１２５が第２の起動状態で動作するように制御する。
【０１２４】
（ステップＳ７０３）起動信号受信回路１２５は、受信動作中に起動信号を受信したか否かを判定する。受信動作中に起動信号を受信したと判定した場合にはステップＳ７０４の処理に進み、それ以外の場合にはステップＳ７０８の処理に進む。
（ステップＳ７０４）起動信号受信回路１２５は、無線通信部１３に対して移行信号を出力し、周期情報出力部７２１に対して受信ビット列を出力する。その後、ステップＳ７０５の処理に進む。
【０１２５】
（ステップＳ７０５）無線通信部１３は、ステップＳ７０４の処理で移行信号が入力されたため、センサ部１１から入力された収集データを、アンテナ１５を介してデータ収集端末８０に対して送信する。また、無線通信部１３は、収集データの送信が完了した後、第１の待機状態で動作する。その後、ステップＳ７０６の処理に進む。
【０１２６】
（ステップＳ７０６）周期情報出力部７２１は、起動信号受信回路１２５から入力された受信ビット列に周期情報が含まれているか否かを判定する。起動信号受信回路１２５から入力された受信ビット列に周期情報が含まれていると周期情報出力部７２１が判定した場合にはステップＳ７０７の処理に進み、それ以外の場合にはステップＳ７０８の処理に進む。
【０１２７】
（ステップＳ７０７）周期情報出力部７２１は、起動信号受信回路１２５から入力された受信ビット列に含まれている周期情報を制御部１２４に対して出力する。その後、ステップＳ７０８の処理に進む。
（ステップＳ７０８）制御部１２４は、処理を終了するか否かを判定する。例えば、制御部１２４は、無線通信部１３がデータ収集端末８０から終了コマンドを受信した場合、処理を終了すると判定する。制御部１２４が処理を終了すると判定した場合、処理を終了し、それ以外の場合にはステップＳ７０１の処理に戻る。
【０１２８】
次に、データ収集端末８０の動作手順について説明する。図２２は、本実施形態におけるデータ収集端末８０の動作手順を示したフローチャートである。
（ステップＳ８０１）起動信号送信回路２２は、一定時間の間、待機状態で動作する。その後、ステップＳ８０２の処理に進む。
（ステップＳ８０２）起動信号送信回路２２は、一定時間の間、送信状態で動作する。その後、ステップＳ８０３の処理に進む。
【０１２９】
（ステップＳ８０３）位置情報取得部６１は、ＧＰＳなどを用いて自端末の位置情報を取得し、自端末の現在位置が所定の範囲内であるか否かを示す位置情報を周期決定部８１に対して出力する。その後、ステップＳ８０４の処理に進む。
（ステップＳ８０４）周期決定部８１は、ステップＳ８０３の処理で位置情報取得部６１から入力された位置情報と、周期記憶部８２が記憶する動作周期テーブルとに基づいて、無線センシング端末７０が備える起動信号受信回路１２５の動作周期を決定する。また、周期決定部８１は、決定した起動信号受信回路１２５の動作周期を示す周期情報を起動信号送信回路２２に対して出力する。その後、ステップＳ８０５の処理に進む。なお、起動信号受信回路１２５の動作周期を決定する処理は、第１の実施形態で説明した処理と同様の処理である。
【０１３０】
（ステップＳ８０５）起動信号送信回路２２は、収集データを受信する指示入力を受け付けたか否かを判定する。収集データを受信する指示入力を受け付けたと起動信号送信回路２２が判定した場合にはステップ８０６の処理に進み、それ以外の場合にはステップＳ８０１の処理に戻る。
【０１３１】
（ステップＳ８０６）周期決定部８１は、ステップＳ８０４の処理で決定した起動信号受信回路１２５の動作周期と、前回の処理で決定した起動信号受信回路１２５の動作周期とが異なるか否かを判定する。ステップＳ８０４の処理で決定した起動信号受信回路１２５の動作周期と、前回の処理で決定した起動信号受信回路１２５の動作周期とが異なると周期決定部８１が判定した場合にはステップＳ８０７の処理に進み、それ以外の場合にはステップＳ８０９の処理に進む。
【０１３２】
（ステップＳ８０７）起動信号送信回路２２は、ステップＳ８０４の処理で周期決定部８１から入力された周期情報と、起動信号とを無線センシング端末７０に対してアンテナ２６を介して送信する。その後、ステップＳ８０８の処理に進む。
（ステップＳ８０８）制御部８３は、ステップＳ８０７の処理で周期情報と起動信号の送信完了後、次回の処理の動作周期変更を行う。その後、ステップＳ８１０の処理に進む。
（ステップＳ８０９）起動信号送信回路２２は、起動信号を無線センシング端末７０に対してアンテナ２６を介して送信する。その後、ステップＳ８１０の処理に進む。
【０１３３】
ステップＳ８１０〜ステップＳ８１１の処理は、第１の実施形態におけるステップＳ２０５〜ステップＳ２０６の処理と同様の処理である。
【０１３４】
次に、無線センシング端末７０が備える起動信号受信回路１２５の第２の待機状態と第２の起動状態の周期と、データ収集端末８０が備える起動信号送信回路２２の待機状態と送信状態との周期との関係について説明する。本実施形態における無線センシング端末７０が備える起動信号受信回路１２５の動作周期が短周期である場合の第２の待機状態と第２の起動状態の周期と、データ収集端末８０が備える起動信号送信回路２２の動作周期が短周期である場合の待機状態と送信状態との周期との関係は、図７に示した関係と同様である。図２３は、本実施形態における無線センシング端末７０が備える起動信号受信回路１２５の動作周期が長周期である場合の第２の待機状態と第２の起動状態の周期と、データ収集端末２０が備える起動信号送信回路２２の動作周期が長周期である場合の待機状態と送信状態との周期との関係を示したタイミングチャートである。
【０１３５】
無線センシング端末７０が備える起動信号受信回路１２５は、データ収集端末８０が備える周期決定部８１が決定した周期に応じて、第２の待機状態での動作と第２の起動状態での動作とを繰り返す。例えば、データ収集端末８０が備える周期決定部８１が起動信号受信回路１２５の動作周期を短周期と決定した場合、図７に示すように、無線センシング端末７０が備える制御部１２４は、データ収集端末８０が備える起動信号送信回路２２の待機状態と送信状態との周期と同じ周期（短周期）となるように、無線センシング端末７０が備える起動信号受信回路１２５の動作状態を制御する。また、例えば、データ収集端末８０が備える周期決定部８１が起動信号受信回路１２５の動作周期を長周期と決定した場合、図２３に示すように、データ収集端末８０が備える起動信号送信回路２２は動作周期を長周期として動作する。また、無線センシング端末７０が備える制御部１２４は、データ収集端末８０が備える起動信号送信回路２２の待機状態と送信状態との周期（長周期）と同じ周期となるように、無線センシング端末７０が備える起動信号受信回路１２５の動作状態を制御する。
【０１３６】
なお、図２３に示した例では、周期決定部８１が起動信号受信回路１２５の動作周期を長周期と決定した場合、データ収集端末８０が備える起動信号送信回路２２は動作周期を短周期の２倍の周期となるように動作しているが、これに限らず、短周期よりも長い周期であればどのような周期であっても良い。
【０１３７】
上述した通り、本実施形態によれば、無線センシング端末７０の無線通信部１３は、送信動作を行わない第１の待機状態と、自端末とは異なるデータ収集端末８０に対して収集データを送信する第１の起動状態とのいずれかの状態で動作する。また、無線通信部１３は、収集データの送信が完了した後、第１の待機状態で動作する。また、起動信号受信回路１２５は、受信動作を行わない第２の待機状態と、受信動作を行う第２の起動状態とのいずれかの状態で動作し、第２の起動状態での動作と第２の待機状態での動作とを所定の時間間隔で繰り返す。また、起動信号受信回路１２５は、第２の起動状態で動作しているときにデータ収集端末８０から起動信号を受信した場合、無線通信部１３の動作を第１の待機状態から第１の起動状態に移行させる移行信号を出力する。
【０１３８】
また、データ収集端末８０が備える周期決定部８１は、データ収集端末８０の推定位置が所定の範囲内に含まれているか否かに基づいて、無線センシング端末７０が備える起動信号受信回路１２５が第２の起動状態での動作と第２の待機状態での動作とを繰り返す所定の時間間隔を変更する。具体的には、周期決定部８１は、データ収集端末８０の推定位置が所定の範囲内に含まれている場合、起動信号受信回路１２５が第２の起動状態での動作と第２の待機状態での動作とを繰り返す所定の時間間隔を短くする（周期を短周期とする）。また、周期決定部８１は、データ収集端末８０の推定位置が所定の範囲内に含まれていない場合、起動信号受信回路１２５が第２の起動状態での動作と第２の待機状態での動作とを繰り返す所定の時間間隔を長くする（周期を長周期とする）。また、データ収集端末８０が備える起動信号送信回路２２は、周期決定部８１が決定した所定の時間間隔を示す周期情報を無線センシング端末７０に対して送信する。また、無線センシング端末７０が備える制御部１２４は、データ収集端末８０から送信された周期情報に基づいて、起動信号受信回路１２５が第２の起動状態で動作するタイミングと第２の待機状態で動作するタイミングとを制御する。
【０１３９】
これにより、データ収集端末８０が所定の範囲内に存在する場合、起動信号受信回路１２５が第２の起動状態で動作する周期を短くし、データ収集端末８０が所定の範囲内に存在しない場合、起動信号受信回路１２５が第２の起動状態で動作する周期を長くすることができる。また、起動信号受信回路１２５がデータ収集端末８０から起動信号を受信した場合、無線通信部１３は収集データの送信を行う。また、無線通信部１３は、収集データの送信を完了した場合、第１の待機状態で動作する。
【０１４０】
従って、無線センシング端末７０は、データ収集端末８０の位置が所定の範囲内に含まれていない場合、起動信号受信回路１２５が第２の待機状態で動作する時間を長くすることができる。よって、無線センシング端末７０は、消費電力をより低減することができる。例えば、所定の範囲を病院や自宅と設定した場合、無線センシング端末７０は、病院や自宅といった収集データの送信動作を行う場所以外にデータ収集端末８０が存在すると推定できる場合、消費電力をより低減することができる。
【０１４１】
なお、上述した例では、データ収集端末８０が備える周期決定部８１は、位置情報取得部６１から入力される位置情報に基づいて起動信号受信回路１２５の動作周期を決定したがこれに限らない。例えば、データ収集端末８０は、スポット通過検出部３２１を備え、自端末が所定のスポットを通過したことを検出し、所定のスポットを通過した時刻を示すスポット通過時刻情報を周期決定部８１に対して出力する。そして、周期決定部８１は、スポット通過検出部３２１から送信されるスポット通過時刻情報と、現在時刻と、周期記憶部８２が記憶する動作周期テーブルとに基づいて、起動信号受信回路１２５の動作周期を決定するようにしてもよい。また、例えば、データ収集端末８０は、時刻情報取得部４２１を備え、現在の時刻を示す時刻情報を周期決定部８１に対して出力する。そして、周期決定部８１は、時刻情報取得部４２１から入力される時刻情報と、周期記憶部８２が記憶する動作周期テーブルとに基づいて、起動信号受信回路１２５の動作周期を決定するようにしてもよい。
【０１４２】
以上、この発明の第１の実施形態〜第５の実施形態について図面を参照して詳述してきたが、具体的な構成はこの実施形態に限られるものではなく、この発明の要旨を逸脱しない範囲の設計等も含まれる。例えば、第１の実施形態〜第５の実施形態においては、無線センシング端末とデータ収集端末とが１対１で無線通信を行うものとして説明したが、１対Ｎ、Ｍ対１、Ｍ対Ｎのいずれの関係であっても本発明を適用することができる（ＮおよびＭは自然数）。
【０１４３】
なお、上述した第１の実施形態〜第５の実施形態における無線センシング端末とデータ収集端末とが備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１４４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１４５】
１・・・生体データ監視システム、１０，３０，４０，５０，７０・・・無線センシング端末、１１・・・センサ部、１２，３２，４２，５２，７２・・・起動信号出力部、１３，２１・・・無線通信部、１４，２４・・・記憶部、１５，２６・・・アンテナ、２０，６０，８０・・・データ収集端末、２２・・・起動信号送信回路、２３・・・データ処理部、２５・・・表示部、６１，１２１・・・位置情報取得部、８１，１２２・・・周期決定部、８２，１２３・・・周期記憶部、８３，１２４・・・制御部、１２５・・・起動信号受信回路、３２１・・・スポット通過検出部、４２１・・・時刻情報取得部、５２１・・・位置情報出力部、７２１・・・周期情報出力部
【図１】
2013225764.tif 000003
【図２】
2013225764.tif 000004
【図３】
2013225764.tif 000005
【図４】
2013225764.tif 000006
【図５】
2013225764.tif 000007
【図６】
2013225764.tif 000008
【図７】
2013225764.tif 000009
【図８】
2013225764.tif 000010
【図９】
2013225764.tif 000011
【図１０】
2013225764.tif 000012
【図１１】
2013225764.tif 000013
【図１２】
2013225764.tif 000014
【図１３】
2013225764.tif 000015
【図１４】
2013225764.tif 000016
【図１５】
2013225764.tif 000017
【図１６】
2013225764.tif 000018
【図１７】
2013225764.tif 000019
【図１８】
2013225764.tif 000020
【図１９】
2013225764.tif 000021
【図２０】
2013225764.tif 000022
【図２１】
2013225764.tif 000023
【図２２】
2013225764.tif 000024
【図２３】
2013225764.tif 000025